【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】再生装置
【手続補正２】
【補正対象書類名】明細書
【補正対象項目名】特許請求の範囲
【補正方法】変更
【補正の内容】
【特許請求の範囲】
【請求項１】  磁気記録媒体に記録された信号を、磁気ヘッドを用いて再生する再生装置において、
前記磁気ヘッドにより再生された信号を増幅する増幅手段と、
前記増幅手段により増幅された信号の振幅を検出すると共に、検出した振幅に基づいて前記再生された信号の振幅を一定に保持するよう前記増幅手段を制御する振幅検出手段と、
前記増幅手段により増幅された信号を誤り訂正復号すると共に、訂正できないエラーを検出するエラー検出手段と、
前記振幅検出手段により検出された振幅と前記エラー検出手段により検出されたエラーとに基づいて、前記磁気ヘッドの目詰まりの発生を検出する目詰まり検出手段とを備えたことを特徴とする再生装置。
【請求項２】 前記振幅検出手段により検出された振幅を積分する積分手段を備え、
前記目詰まり検出手段は、前記積分手段の出力を平均化した出力と前記積分手段の出力の差分と、前記エラー検出手段の出力を平均化した出力と前記エラー検出手段の出力との差分とに基づいて、前記磁気ヘッドの目詰まりの発生を検出することを特徴とする請求項１記載の再生装置。
【請求項３】 前記目詰まり検出手段は、前記振幅検出手段により検出された振幅が第１の所定値よりも大きい場合であっても、前記エラー検出手段により検出されたエラーの個数の平均が第２の所定値よりも小さい場合には、目詰まりの発生であると判断することを特徴とする請求項１記載の再生装置。
【請求項４】 前記目詰まり検出手段は、前記振幅検出手段により検出された振幅が第１の所定値よりも小さい場合であっても、前記エラー検出手段により検出されたエラーの個数の平均が第２の所定値よりも小さい場合には、目詰まりの発生であると判断しないことを特徴とする請求項１記載の再生装置。
【手続補正３】
【補正対象書類名】明細書
【補正対象項目名】０００１
【補正方法】変更
【補正の内容】
【０００１】
【発明の属する技術分野】
本発明は、磁気記録媒体に記録された信号を、磁気ヘッドを用いて再生する再生装置に関する。
【手続補正４】
【補正対象書類名】明細書
【補正対象項目名】００１０
【補正方法】変更
【補正の内容】
【００１０】
本発明は、上記問題点を解決するためになされたもので、磁気ヘッドの目詰まり状態を正確に検出することができる再生装置を提供することを目的とする。
【手続補正５】
【補正対象書類名】明細書
【補正対象項目名】００１１
【補正方法】変更
【補正の内容】
【００１１】
【課題を解決するための手段】
上記目的を達成するために、請求項１記載の再生装置は、磁気記録媒体に記録された信号を、磁気ヘッドを用いて再生する再生装置において、前記磁気ヘッドにより再生された信号を増幅する増幅手段と、前記増幅手段により増幅された信号の振幅を検出すると共に、検出した振幅に基づいて前記再生された信号の振幅を一定に保持するよう前記増幅手段を制御する振幅検出手段と、前記増幅手段により増幅された信号を誤り訂正復号すると共に、訂正できないエラーを検出するエラー検出手段と、前記振幅検出手段により検出された振幅と前記エラー検出手段により検出されたエラーとに基づいて、前記磁気ヘッドの目詰まりの発生を検出する目詰まり検出手段とを備えたことを特徴とする。
請求項２記載の再生装置は、上記請求項１記載の再生装置において、前記振幅検出手段により検出された振幅を積分する積分手段を備え、前記目詰まり検出手段は、前記積分手段の出力を平均化した出力と前記積分手段の出力の差分と、前記エラー検出手段の出力を平均化した出力と前記エラー検出手段の出力との差分とに基づいて、前記磁気ヘッドの目詰まりの発生を検出することを特徴とする。
請求項３記載の再生装置は、上記請求項１記載の再生装置において、前記目詰まり検出手段は、前記振幅検出手段により検出された振幅が第１の所定値よりも大きい場合であっても、前記エラー検出手段により検出されたエラーの個数の平均が第２の所定値よりも小さい場合には、目詰まりの発生であると判断することを特徴とする。
請求項４記載の再生装置は、上記請求項１記載の再生装置において、前記目詰まり検出手段は、前記振幅検出手段により検出された振幅が第１の所定値よりも小さい場合であっても、前記エラー検出手段により検出されたエラーの個数の平均が第２の所定値よりも小さい場合には、目詰まりの発生であると判断しないことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００６４
【補正方法】変更
【補正の内容】
【００６４】
【発明の効果】
以上説明したように、請求項１記載の再生装置によれば、磁気ヘッドにより再生された信号を増幅し、増幅された信号の振幅を検出すると共に、検出した振幅に基づいて再生された信号の振幅を一定に保持するよう制御した後、増幅された信号を誤り訂正復号すると共に、訂正できないエラーを検出し、検出された振幅と検出されたエラーとに基づいて、磁気ヘッドの目詰まりの発生を検出するようにしたので、ギャップのゴミ等による目詰まりだけでなく、油膜や表面の酸化等、従来の再生出力レベルのみによる目詰まり検出方法では検出できなかったような目詰まり状態をも正確に検出することができるという効果が得られる。
【手続補正２６】
【補正対象書類名】明細書
【補正対象項目名】００６５
【補正方法】変更
【補正の内容】
【００６５】
請求項２記載の再生装置によれば、請求項１記載の再生装置において、検出された振幅を積分し、その出力を平均化した出力とその出力の差分と、検出されたエラーの出力を平均化した出力と検出されたエラーの出力との差分とに基づいて、磁気ヘッドの目詰まりの発生を検出するようにしたので、相対的な検出を行って、磁気ヘッドの目詰まり状態をより正確に検出することができ、また、磁気ヘッド毎に制御電圧及びエラー値の平均値と検出値との差分に基いて目詰まり検出を行うので、瞬間的に目詰まり状態が発生したことをも検出することができるという効果が得られる。
【手続補正２７】
【補正対象書類名】明細書
【補正対象項目名】００６６
【補正方法】削除
【補正の内容】
【手続補正２８】
【補正対象書類名】明細書
【補正対象項目名】００６７
【補正方法】削除
【補正の内容】